(57)【要約】      （修正有）【課題】初心者や子供でも簡便に装着でき、長時間着崩れしない帯本体、また、初心者や子供でも簡便にお飾りを装着できる付け帯セットを提供する。【解決手段】帯本体１は、補助バンド１１とクリップ６を備え、補助バンド１１が、伸縮性のある第一のバンド４と伸縮性のある第二のバンド５とから成り、第一のバンド４の一端および第二のバンド５の一端が各々、帯本体１の所定箇所に結着されており、かつ、第一のバンド４の他端と第二のバンド５の他端に、互いに嵌合可能な形状の１対の連結手段（９−１、９−２）が設けられていることを特徴とする。お飾りを簡便に装着できる付け帯セットは、帯本体１を、補助ベルトを備えた作り帯と組み合わせることで提供できる。【選択図】図１
0003143520.tif 000002
【実用新案登録請求の範囲】
【請求項１】
着用者の胴部を１周して、当該着用者の正面で二重に重なる長さを有する略長方形状の帯本体であって、  
当該帯本体の巻き始め端部と当該帯本体の内側の面の中央部との間に架かる補助バンドを備え、かつ、当該帯本体の内側の面における、当該帯本体の巻き終わり端部の上部に、長形のクリップを、その挟口を下方に向けた状態で、当該巻き終わり端部の縁と略平行配置で有し、
前記補助バンドが、伸縮性のある第一のバンドと伸縮性のある第二のバンドとから成り、  前記第一のバンドの一端が、前記巻き始め端部における、前記帯本体の下縁の隣接箇所に結着されており、前記第二のバンドの一端が、前記帯本体の内側の面の中央部における、当該帯本体を長手方向に略均等に二分する、前記帯本体の下縁の隣接箇所に結着されており、かつ、前記第一のバンドの他端と前記第二のバンドの他端に、互いに嵌合可能な形状の１対の連結手段が設けられており、
前記連結手段を嵌合した状態で、前記帯本体の、前記巻き始め端部から前記第二のバンドの結着箇所までの部分と、前記補助バンドとが、当該第一および第二のバンドの非伸長下に、前記着用者の胴部の０．７周以上１周未満の長さを有し、当該第一および／または第二のバンドの伸長下に、当該胴部の１周以上１．３周以下の長さを有し、
前記クリップが、前記巻き終わり端部の縁の長さの５％〜９０％に相当する長さを有することを特徴とする簡易装着可能な帯本体。
【請求項２】
前記第一のバンドの、前記巻き始め端部との結着箇所から前記連結手段までの部分が、非伸長状態で０．５ｃｍ〜３．５ｃｍの長さを有し、前記第二のバンドがその中央部に長さ調節部材を有することを特徴とする請求項１に記載の簡易装着可能な帯本体。
【請求項３】
前記帯本体が、当該帯本体を全体的に構成する基布と、この基布の内側の面の上下両縁部を除く部分を覆って当該内側の面に縫着される裏布と、から成り、この裏布の、前記帯本体の巻き終わり端部側の端部から内側の一定幅の部分が、前記内側の面から遊離しており、
前記クリップが、ヘアピン形状のピン材から成り、かつ、このピン材を、前記裏布の前記一定幅の部分の上部に、その上縁から挟み付けて成ることを特徴とする請求項１または請求項２に記載の簡易装着可能な帯本体。
【請求項４】
請求項１〜３のいずれか１項に記載の帯本体と作り帯とから成る簡易装着可能な付け帯セットであって、
前記作り帯が、お飾り部と、当該お飾り部の内側中央部に設けられた固定部と、から成り、前記固定部が、当該固定部の両側縁部の間に架かる補助ベルトを備え、
前記補助ベルトが、前記固定部の一方の側縁部から外側に伸長する伸縮性のある第一のベルトと、前記固定部の他方の側縁部から外側に伸長する伸縮性のある第二のベルトとから成り、当該第一のベルトと当該第二のベルトが、各々、他方のベルトに対向するその先端部に、互いに嵌合可能な形状の１対の結合手段を有し、
前記結合手段を嵌合した状態で、前記固定部と前記補助ベルトとが、当該第一および第二のベルトの非伸長下に、前記着用者の胴部の０．７周以上１周未満の長さを有し、当該第一および／または第二のベルトの伸長下に、当該胴部の１周以上１．３周以下の長さを有することを特徴とする簡易装着可能な付け帯セット。
【請求項５】
前記第一のベルトおよび前記第二のベルトの内の一方のベルトにおける、前記固定部の側縁部から前記結合手段までの部分が、非伸長状態で、他方のベルトにおける、前記固定部の側縁部から前記結合手段までの部分の、非伸長状態での長さの２倍〜５倍の長さを有し、かつ、前記一方のベルトがその中央部に長さ調節部材を有することを特徴とする請求項４に記載の簡易装着可能な付け帯セット。
【考案の詳細な説明】
【技術分野】
【０００１】
本考案は、着用者が簡易に装着することのできる帯本体、並びにこれと作り帯とから成る付け帯セットに関するものである。
【背景技術】
【０００２】
和装において、帯結びを行わずにお飾りを形成できるものとして、従来、着用者の胴部に巻き付けられる略長方形状の帯本体と、前記帯本体と共に、着用者の胴部に装着される作り帯と、から成る付け帯が広く用いられているが、従来の帯本体は、これを着用者の胴部に見栄えよくかつ安定に巻き付けたり、結び終わり端部を美しく始末するのに熟練を要し、初心者や子供にとっては装着が困難である問題がある。また、従来の作り帯に関しても、これを着用者胴部に見栄え良くかつ安定に固定するのに技術を要する問題がある。
【考案の開示】
【考案が解決しようとする課題】
【０００３】
本考案は、着用者が簡便に見栄え良く装着することができ、長時間、着用者の胴部に美しく装着された状態を保つ帯本体を提供することを課題とする。本考案は、また、着用者が簡便に見栄え良くお飾りを装着することができる付け帯セットを提供することを課題とする。
【課題を解決するための手段】
【０００４】
本考案の帯本体は、着用者の胴部を１周して、当該着用者の正面で二重に重なる長さを有し、当該帯本体の巻き始め端部と当該帯本体の内側の面の中央部との間に架かる補助バンドを備え、かつ、当該帯本体の内側の面における当該帯本体の巻き終わり端部の上部に、長形のクリップを、その挟口を下方に向けた状態で、前記帯本体の巻き終わり端部の縁と略平行配置で有し、前記補助バンドが、伸縮性のある第一のバンドと伸縮性のある第二のバンドとから成り、前記第一のバンドの一端が、前記巻き始め端部における、当該帯本体の下縁の隣接箇所に結着されており、前記第二のバンドの一端が、前記帯本体の前記内側の面の中央部における、当該帯本体を長手方向に略均等に二分する、前記帯本体の下縁の隣接箇所に結着されており、かつ、前記第一のバンドの他端と前記第二のバンドの他端に、互いに嵌合可能な形状の１対の連結手段が設けられており、前記連結手段を嵌合した状態で、前記帯本体の、前記巻き始め端部から前記第二のバンドの結着箇所までの部分と、前記補助バンドとが、当該第一および第二のバンドの非伸長下に、前記着用者の胴部の０．７周以上１周未満の長さを有し、当該第一および／または第二のバンドの伸長下に、当該胴部の１周以上１．３周以下の長さを有し、前記クリップが、前記巻き終わり端部の縁の長さの５％〜９０％に相当する長さを有することを特徴とする。
【０００５】
かかる構成により、本考案における帯本体は、極めて簡便に着用者の胴部に装着され得、帯本体は補助バンドにより、極めて安定に着用者の胴部に固定される。
前記帯本体は、概ね直角の四隅を有する概ね長方形状のものであればよく、その両端の少なくともいずれかが、当該帯本体の上縁ないし下縁に対して若干傾斜していてもよい。  ここで、本明細書中、前記帯本体の「長さ」は、当該帯本体の長手方向の長さを意味し、帯本体の長手方向の端が若干傾斜しているものにおいては、当該帯本体の両端の間の最短距離を意味する。また、本明細書中、前記帯本体の「巻き始め端部」および「巻き終わり端部」の「端部」は、帯本体の各末端を含む一帯域を意味し、当該帯本体の末端のみならず当該末端の近傍箇所をも含む。
【０００６】
前記第一のバンドは、前記巻き始め端部との結着箇所から前記連結手段までの部分が、その非伸長下に０．５〜３．５ｃｍの長さを有することが好ましい。また、前記第二のバンドは、その中央部に長さ調節部材を有することが好ましい。第一および第二のバンドをこのように構成することにより、帯本体を巻き始め端部から着用者の胴部に巻き付けた際、前記連結手段が着用者の横腹の正面よりの箇所に位置づけられ、その連結操作を行い易くなる。
なお、前記連結手段としては、前記第一のバンドの先端と前記第二のバンドの先端を連結可能で、互いに嵌合可能な形状のあらゆるものを使用できる。
前記クリップとしては、着用者の胴部に巻き付けられた帯本体を上から挟み込んで、帯本体の巻き終わり端部を帯本体に確実に止着可能な適宜の挟付具を使用できる。
【０００７】
本考案の帯本体は、前記補助バンドと前記クリップの前記帯本体における配置−即ち、補助バンドは前記帯本体の下縁部に、クリップは前記帯本体の巻き終わり端部の上部に設けられている−により、非常に安定に着用者の胴部に固定できる。
【０００８】
本考案は、また、本考案の前記帯本体と作り帯とから成る簡易装着可能な付け帯セットであって、前記作り帯が、お飾り部と、当該お飾り部の内側中央部に設けられた固定部と、から成り、前記固定部が、当該固定部の両側縁部の間に架かる補助ベルトを備え、前記補助ベルトが、前記固定部の一方の側縁部から外側に伸長する伸縮性のある第一のベルトと、前記固定部の他方の側縁部から外側に伸長する伸縮性のある第二のベルトとから構成され、当該第一のベルトと当該第二のベルトが、各々、他方のベルトに対向するその先端部に、互いに嵌合可能な形状の１対の結合手段を有し、前記結合手段を嵌合した状態で、前記固定部と前記補助ベルトとが、当該第一および第二のベルトの非伸長下に、前記着用者の胴部の０．７周以上１周未満の長さを有し、当該第一および／または第二のベルトの伸長下に、前記着用者の胴部の１周以上１．３周以下の長さを有することを特徴とする。
【０００９】
かかる構成により、前記作り帯は、着用者の背部に前記固定部を配置し、当該背部から正面側に、前記第一および第二のベルトを手繰り寄せて結合手段を嵌合することにより、極めて簡便に着用者の胴部に装着され得、前記お飾り部が、補助ベルトにより極めて安定に、着用者の胴部に固定される。
【００１０】
前記補助ベルトについては、前記第一のベルトおよび前記第二のベルトの内の一方のベルトの、前記固定部の側縁部から前記結合手段までの部分が、非伸長状態で、他方のベルトの、前記固定部の側縁部から前記結合手段までの部分の非伸長状態での長さの２倍〜５倍の長さを有することが好ましい。また、長い方のベルトが、その中央部に長さ調節部材を有することが好ましい。第一および前記第二のベルトをこのように構成することにより、お飾り部を着用者の胴部の背部に配置して第一および第二のベルトを着用者の背部から正面に手繰り寄せた際、着用者の横腹正面よりに前記結合手段が位置し、これを嵌合する操作が容易になる。
なお、かかる結合手段としては、前記第一および第二のベルトの各先端部を連結可能で、互いに嵌合可能な形状のあらゆるものを使用できる。
また、前記補助ベルトは、前記補助バンドと同種の材から構成されても異種の材から構成されてもよい。
【考案の効果】
【００１１】
本考案により、初心者や子供でも簡便にしかも見栄えよく装着できる新規な帯本体を提供することができる。本考案の帯本体は、補助バンドにより着用者の胴部に安定に固定され、長時間着崩れを生じない。本考案により、また、初心者や子供でも、お飾りを簡便にしかも見栄え良く装着できる新規な付け帯セットを提供することができる。本考案の付け帯セットを構成する作り帯は、補助ベルトにより着用者の胴部に安定に固定され、長時間着崩れを生じない。
【実施例】
【００１２】
以下の実施例は、本考案の帯本体および本考案の付け帯セットの好ましい例を示すものであり、本考案を限定するものではない。実施例１は本考案の帯本体を、実施例２は本考案の付け帯セットを示す。
[実施例１]
図１Ａ〜Ｄに示す本実施例の帯本体１は、着用者の胴部に巻き付けられる略長方形状のもの（上縁の長さが８５ｃｍで、下縁の長さが８８ｃｍで、両端が１４．５ｃｍの長さを有し、当該上縁および下縁に対して同様に若干傾斜しているもの）であり、概して、５〜１２歳の標準的な体格の子供の胴部を１周して、当該着用者の正面で二重に重なる長さを有する。
帯本体１には、その巻き始め端３における帯本体１の下縁の隣接箇所に、第一のバンド４（２．５ｃｍ幅のゴムバンド）の一端部が縫着されており、帯本体１の内側の面における、帯本体１を長手方向に略均等に二分する、帯本体１の下縁の隣接箇所には、第二のバンド５（２．５ｃｍ幅のゴムバンド）の一端部が縫着されている。加えて、帯本体１は、その内側の面における、巻き終わり端部の上部に、長形のクリップ６を、その挟口７を下方に向けた状態で、巻き終わり端部の縁８と略平行配置で有する。
【００１３】
第一のバンド４と第二のバンド５の各先端部には、互いに嵌合可能なプラスチック製の１対のワンタッチバックル（９−１、９−２）が設けられている。
かかる構成により、帯本体１を、巻き始め端３から第二のバンド５の縫着箇所１０まで着用者の胴部に巻き付けて、ワンタッチバックル（９−１、９−２）を嵌合することにより、図１Ｂに示すように、帯本体１は、第一のバンド４と第二のバンド５から成る補助バンド１１で、その巻き始め端３と、当該帯本体の内側の面の中央部とが連結された状態となり、非常に安定に着用者の胴部に固定される。
【００１４】
本実施例では、第一のバンド４は、帯本体１の巻き始め端３との結着箇所からプラスチックバックル（９−１）までの部分が、非伸長状態で１．５ｃｍの長さを有する。第二のバンド５は、中央部に長さ調節部材１２が取り付けられており、その長さを調節できるようになっており、その帯本体１との縫着箇所１０からワンタッチバックル（９−２）までの部分が、非伸長状態で８．５ｃｍ（長さ調節部材により最も短くした状態）〜１５．５ｃｍ（長さ調節部材により最も長くした状態）の長さを有する。このように構成したことにより、帯本体１を巻き始め端３から着用者の胴部に巻き付けた際に、ワンタッチバックル（９−１、９−２）が着用者の横腹の正面よりに位置づけられ、その嵌合操作を行い易くなる。
【００１５】
本実施例の帯本体１は、第二のバンド５の長さを、長さ調節部材１２により調節することにより、図１Ｂに示すようにワンタッチバックル（９−１、９−２）を嵌合してできる、帯本体１の巻き始め端３から縫着箇所１０までの部分１３と、補助バンド１１とが成す円周の長さを変化させることができる。即ち、この円周が、第一のバンド４と第二のバンド５の非伸長下に、着用者の胴部の０．７周以上１周未満の長さを有し、第一のバンド４と第二のバンド５の少なくともいずれかの伸長下に、着用者の胴部の略１周以上１．３周以下の長さを有するように、適宜補助バンド１１を構成でき、着用者の胴サイズに応じて適切に、帯本体１を、その胴部に極めて安定に固定することができる。
【００１６】
さらに詳しくは、本実施例では、帯本体１は、これを全体的に構成する、織物地から成る基布１４と、この基布１４の内側の面の上下両縁部を除く部分を覆って当該内側の面に縫着されたサテン地の裏布１５とから成り、図１Ｃに示すように、裏布１５における、帯本体１の巻き終わり端部側の端部から内側の一定幅の部分１６が、基布１４から遊離している。ここで、クリップ６は、ヘアピン形状の金属製のピン材１９から成り、このピン材１９を、裏布１５における一定幅の部分１６の上部に上縁から挟み付け、Ｕ字曲折部２０を帯本体１に糸で綴じ付けることにより、構成されている。
【００１７】
かかる構成により、着用者の胴部に巻き付けられた帯本体１の上に重なる巻き終わり端部を、胴部に巻き付けられた帯本体１に、クリップ６を上から挟みつけることで止着することができる。かかるクリップ６を用いて始末された帯本体１の巻き終わり端部は、胴部に巻き付けられた帯本体１にぴたりと沿った美しい仕上がりとなり、着用者の通常の動作では崩れない。
【００１８】
[実施例２]
本実施例の付け帯セットは、実施例１の帯本体１と、図２Ａ〜Ｂに示す作り帯２と、から成る。
作り帯２は、お飾り部２２と、お飾り部２２の内側中央部に固定される固定部２３と、固定部２３の下方に、連結材２４を介して設けられる差込部Ｓ（着用者の胴部に巻き付けられた帯本体１と着用者の胴部との間に差し込まれて、お飾り部２２を固定するためのもの）と、から成る。固定部２３は、その両側縁部から外側に伸長する１対のベルト（２５、２６）（いずれも２．５ｃｍ幅のゴムバンド）を有し、各ベルト（２５、２６）の各々の先端部には、互いに嵌合可能な１対のプラスチック製のワンタッチバックル（２７−１、２７−２）が設けられている。
かかる構成により、お飾り部２２を着用者の胴部の背部に配置して１対のベルト（２５、２６）を着用者の背部から正面に手繰り寄せ、ワンタッチバックル（２７−１、２７−２）を嵌合することにより、お飾り部２２は、１対のベルト（２５、２６）から成る補助ベルトで胴部に卷回された状態となり、しっかりと着用者の胴部に固定され、着用者の通常の動作では崩れることなく、長時間、見栄えのよい安定な状態を保持し得る。
【００１９】
詳しくは、１対のベルトのうちの一方のベルト２５（以下、第一のベルトと称する）は、その中央部に長さ調節部材２８を有し、固定部２３の側縁部との結着箇所からワンタッチバックル（２７−１）までの部分が、非伸長状態で、２７ｃｍ（長さ調節部材により最も短くした状態）〜４９ｃｍ（長さ調節部材により最も長くした状態）を有する。他方のベルト２６（以下、第二のベルトと称する）は、固定部２３の側縁部との結着箇所からワンタッチバックル（２７−２）までの部分が、非伸長状態で１０ｃｍの長さを有する。このように第一のベルト２５を第二のベルト２６よりも長く構成したことにより、装着の際、着用者の横腹正面よりにワンタッチバックル（２７−１、２７−２）が位置し、着用者の胴部の背部にお飾り部２２を装着する操作が容易になる。
【００２０】
本実施例では、第一のベルト２５の長さを、長さ調節部材２８により調節して、図２Ｂに示すようにワンタッチバックル（２７−１、２７−２）を嵌合してできる、固定部２３と補助ベルトとが成す円周の長さを変化させることができる。即ち、この円周が、第一および第二のベルト（２５、２６）の非伸長下に、着用者の胴部の０．７周以上１周未満の長さを有し、かつ、第一および第二のベルト（２５、２６）の少なくともいずれかの伸長下に、着用者の胴部の略１周以上１．３周以下の長さを有するように、適宜補助ベルトを構成でき、着用者の胴サイズに応じて適切に、お飾り部２２をその胴部に極めて安定に固定できる。
かかる付け帯セットは、例えば、実施例１の帯本体１を着用者の胴部に装着した後、作り帯２を装着して、着付けを簡便に美しく仕上げることができる。
【図面の簡単な説明】
【００２１】
【図１】図１は、本考案の帯本体の構成を示す図であり、Ａは展開状態の帯本体の内側の面を示す平面図であり、ＢはＡに示す帯本体を着用者の胴部に巻いた状態を示す断面図であり（胴部は図示せず）、ＣはＡに示す帯本体の巻き終わり端部の構成を示す図であり、ＤはＡの帯本体におけるクリップの構成材料を示す図である。
【図２】図２は、本考案の付け帯セットの一構成要素である作り帯の構成を示す図であり、Ａは作り帯の内側部分を示す図であり、ＢはＡに示す作り帯を着用者の胴部に装着した状態を示す断面図である（胴部は図示せず）。
【符号の説明】
【００２２】
１  帯本体
２  作り帯
３  巻き始め端部
４  第一のバンド
５  第二のバンド
６  クリップ
７  挟口
８  巻き終わり端部の縁
９−１、９−２  連結手段
１０  第二のバンドの結着箇所
１１  補助バンド
１２、２８  長さ調節部材
１３  帯本体の、巻き始め端部３から結着箇所１０までの部分
１４  基布
１５  裏布
１６  一定幅の部分
１９  ピン材
２０  Ｕ字曲折部
２２  お飾り部
２３  固定部
２４  連結材
２５  第一のベルト
２６  第二のベルト
２７−１、２７−２  結合手段
Ｓ  差込部
【図１】
0003143520.tif 000003
【図２】
0003143520.tif 000004